(57)【要約】      （修正有）【課題】ディスプレイ台に装着された商品見本のがたつきをなくすことが可能な自動販売機の商品見本展示装置を提供する。【解決手段】自動販売機のディスプレイ室内に配設され、光透過性材料からなる複数の商品見本８０を嵌合保持する複数の開口部７２が形成されたディスプレイ台７を備えた自動販売機の商品見本展示装置であって、前記ディスプレイ台７の開口部７２の近傍に商品見本８０と当接し当該商品見本８０のがたつきを防止して商品見本をディスプレイ台に緊密に保持させる保持手段（例えば、突部７４）を備え、前記ディスプレイ台７に装着された商品見本８０とディスプレイ台７との間の隙間を保持手段（例えば、突部７４）により埋めてがたつきをなくすことにより、前記商品見本８０をディスプレイ台７にしっかりと固定する。【選択図】図１
2009009192.tif 000002
【特許請求の範囲】
【請求項１】
複数の商品見本を展示してなるディスプレイ室と、このディスプレイ室内に配設され、光透過性材料からなる複数の商品見本を嵌合保持する複数の開口部を有するディスプレイ台とを備えた自動販売機の商品見本展示装置において、前記ディスプレイ台の開口部近傍に商品見本と当接若しくは商品見本を逃して当該商品見本のがたつきを防止して商品見本をディスプレイ台に緊密に保持させる保持手段を備えたことを特徴とする自動販売機の商品見本展示装置。
【請求項２】
請求項１に記載の自動販売機の商品見本展示装置において、保持手段がディスプレイ台と商品見本の対峙面のいずれか一方に設けた係合部であることを特徴とする自動販売機の商品見本展示装置。
【請求項３】
請求項１に記載の自動販売機の商品見本展示装置において、保持手段がディスプレイ台の開口部の口縁に連続するスリットであることを特徴とする自動販売機の商品見本展示装置。
【発明の詳細な説明】
【技術分野】
【０００１】
この発明は、複数の商品見本を展示してなるディスプレイ室と、このディスプレイ室内に配設され、光透過性材料からなる複数の商品見本を嵌合保持する複数の開口部を有するディスプレイ台とを備えた自動販売機の商品見本展示装置に関する。
【背景技術】
【０００２】
缶入り飲料，瓶入り飲料，ペットボトル飲料などの商品を販売する自動販売機は本体キャビネットの庫内に商品を冷蔵，温蔵状態に区分して保存し、外扉のディスプレイ室内に設置したディスプレイ台上に複数の商品見本を左右に並べて展示し、商品見本に応じて設けられた商品選択ボタンを押すことにより指定された商品を販売するように構成されている。この種の従来の自動販売機について図５乃至図８を用いて説明する。
図５に示すように、この自動販売機は、前面が開放した断熱筐体として形成された本体キャビネット１と、本体キャビネット１の前面に開閉可能に支持された外扉２とからなる。本体キャビネット１の開放面は開閉可能な断熱内扉３によって閉塞されて商品収納庫を画成している。本体キャビネット１の庫内は、断熱仕切壁により左右方向に複数の商品収納室に区分され、各商品収納室には缶入り飲料，瓶入り飲料，ペットボトル入り飲料などの商品を収容するとともにその下端に商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
前記外扉２の前面の上部域は透明板４で覆われ、この透明板４と外扉２に開閉可能に軸支された中扉６との間の空間がディスプレイ室５として形成されている。前記中扉６の前面には、本体キャビネット１の庫内に収容した商品に対応した複数の商品見本８を左右に一列に並べて載置したディスプレイ台７が上下方向に３段取付けられている。前記透明板４には各ディスプレイ台７と対峙する位置に商品選択ボタンユニット９が設けられ、当該商品選択ボタンユニット９は、ディスプレイ台７に載置された各商品見本８に対応して左右に一列に並べて設けた商品選択ボタン（不図示）を有している。前記商品選択ボタンには売り切れランプおよび販売可能ランプが内蔵されている。また、前記外扉２の前面には硬貨シュート２１に連通した硬貨投入口、紙幣投入部２２の投入口、釣銭返却シュート２３に連通した硬貨返却口、商品取出口２４に加え、不図示の返却レバーおよびロック付ハンドル（扉ロック装置）などが設けられている。さらに、前記外扉２の背面には硬貨シュート２１を介して硬貨投入口に連通したコインメカニズム２５、このコインメカニズム２５に連通した金庫２６、紙幣投入部２２の投入口に連通した紙幣識別装置２７などが設けられている。なお、ディスプレイ室５の上部およびディスプレイ台７の下部には商品サンプル８などを明るく照らす蛍光灯などの照明光源（不図示）が配設されている。
【０００３】
かかる自動販売機はキー操作によりロック付ハンドル（扉ロック装置）を鎖錠して外扉２を閉じた状態で商用電源からの電力供給を受けてディスプレイ室５内の蛍光灯を点灯制御することにより商品見本８などを明るく照らし出すとともに冷却／加熱ユニットを運転制御して庫内の商品を冷却／加熱する。硬貨または紙幣が投入されるとコインメカニズム２５または紙幣識別装置２７により識別して投入金額を積算するととともにこの投入金額と商品価格とを比較して商品選択ボタンの販売可能ランプを点灯制御する。商品選択ボタンが操作されると選択された商品価格と投入金額とを演算して商品収納ラックに搭載された商品払出機構に販売信号を供給する。この販売信号に基づいて前記商品払出機構はソレノイドの励磁・釈放動作により商品収納ラックに収納した商品を１個づつ搬出する。
前記ディスプレイ室５に展示される商品見本８を図６および図７に示す。図６は缶入り飲料などの円筒状の商品見本を示し、（ａ）は（ｂ）に記載した点線白抜き矢印の方向から見た商品見本の正面図、（ｂ）はその底面図である。
図６において、８０は光透過材料、例えばアクリル樹脂からなる中空円筒状の商品見本であり、この例では缶入り飲料の商品見本を示している。この商品見本８０は缶入り飲料の容器形状と同一の外形形状を有し、その本体部８１に飲料缶の意匠を施して飲料缶と同一の外観を呈するように構成されている。また、前記商品見本８０の本体部８１の底部には嵌合部８２が一体に形成され、この嵌合部８２には放射状に突出する一対の係合片８２１を有し、この係合片８２１の上面と本体部８１の下端面との間に凹状の取付部８２２が形成されている。この取付部８２２の寸法（係合片８２１の上面と本体部８１の下端面との間の間隙寸法）はディスプレイ台７の板厚寸法と略同一に定められている。そして、前記商品見本８０の嵌合部８２の底面には光導入部８３が設けられている。
【０００４】
また、図７は半割り状の商品見本を示し、（ａ）はその正面図、（ｂ）はその底面図である。図７において、８４は光透過材料、例えばアクリル樹脂からなる半割り、すなわち、図６に示した中空円筒状の商品見本８０を縦方向に切断した形状の半割り状の商品見本であり、この例では缶入り飲料の商品見本を示している。この商品見本８４もその本体部８５に飲料缶の意匠を施して正面から見たときに飲料缶と同一の外観を呈するように構成されている。また、前記商品見本８４の本体部８５の底部に嵌合部８６が一体に形成され、この嵌合部８６には放射状に突出する鍔部８６１を有し、この鍔部８６１の上面と本体部８５の底面との間に凹状の取付溝８６２が形成されている。この取付溝８６２の寸法（鍔部８６１の上面と本体部８５の下端面との間の間隙寸法）はディスプレイ台７の板厚寸法と略同一に定められている。そして、前記商品見本８４の嵌合部８６の底面には光導入部８７が設けられている。
なお、瓶入り飲料，ペットボトル飲料などの商品見本も図６および図７に示す缶入り飲料と同様に光透過材料によりそれぞれの容器形状と同一の外形形状に形成されるとともに同一の外観を呈するように構成されている。
前記ディスプレイ室５に配設されたディスプレイ台７を図８に示す。図８はディスプレイ台７の要部平面図である。前記ディスプレイ台７は板金により横断面コ字形で底面部が開放した構造に形成され、ディスプレイ台７の載置面７１には円形の開口部７２が穿孔されている。また、前記開口部７２には当該開口部７２の口縁に連続して一対の矩形形状の切欠き７３が形成されている。前記開口部７２の直径は図６に示した商品見本８０の取付部８２２の外径と略同一に定められ、そして、一対の切欠き７３は商品見本８０の係合片８２１が通過可能な大きさに形成されている。なお、図８では開口部７２が１個のみ示されているが、この開口部７２はディスプレイ台７の載置面に複数個形成されているものである。
【０００５】
このディスプレイ台７への商品見本８０の取付け（装着）は、商品見本８０の底部をディスプレイ台７の載置面７１に対峙させ、商品見本８０の一対の係合片８２１を一対の切欠き７３に対向させつつ商品見本８０の嵌合部８２を開口部７２に嵌め込む。そして、商品見本８０の本体部８１の下端面がディスプレイ台７の載置面に当接するまで押し込み、この状態で商品見本８０を回転させて商品見本８０の一対の係合片８２１がディスプレイ台７の載置面７１の背面に位置し、かつ、開口部７２の一対の切欠き７３の位置から外れた位置に移動させる。これによりディスプレイ台７の開口部７２の口縁に商品見本８０の凹状の取付部８２２が嵌合して商品見本８０がディスプレイ台７に装着される。なお、図示は省略しているが、商品見本８０の取付位置を確定するため、商品見本８０の取付部８２２の所定位置に可撓性の凸部を形成する一方、ディスプレイ台７の開口部７２における口縁の所定位置に前記凸部と係合する切欠きを形成し、両者の係合によりクリック感覚が得られるように構成されている（例えば、特許文献１）。
また、前記商品見本８４のディスプレイ台７への取付け（装着）は、商品見本８４の嵌合部８６をディスプレイ台７の開口部７２に嵌め込み、商品見本８４における本体部８５の下端面をディスプレイ台７の載置面７１に当接させつつ商品見本８４の嵌合部８６における鍔部８６１がディスプレイ台７における載置面７１の背面に位置するようにスライドさせる。これによりディスプレイ台７の開口部７２の口縁に商品見本８４の凹状の取付溝８６２が嵌合して商品見本８４がディスプレイ台７に装着される（例えば、特許文献２）。
【０００６】
なお、前記ディスプレイ台７の下方には不図示の蛍光灯などの照明光源が設けられ、当該照明光源からの光がディスプレイ台７の開口部７２と商品見本８０，８４の底部に形成した光導入部８３，８７とを通して中空状の商品見本８０，８４の内部に照射され、商品見本８０，８４が恰も発光しているように展示される。
【特許文献１】特許第２７１９５０１号
【特許文献２】特開２００６−１２０８４号公報
【発明の開示】
【発明が解決しようとする課題】
【０００７】
前述したように、図６に示した中空円筒状の商品見本８０の嵌合部８２における凹状の取付部８２２の寸法（係合片８２１の上面と本体部８１の下端面との間の間隙寸法であり、以下間隙寸法という）はディスプレイ台７を構成する板金の板厚寸法と略同一に定められている。ところで、この種の自動販売機ではコストダウンが図られ、ディスプレイ台７も例に漏れずにコストダウンの対象となり、板厚の薄い板金が用いられるようになった。このため、商品見本８０の取付部８２２の間隙寸法がディスプレイ台７の板厚と一致しなくなり、商品見本８０をディスプレイ台７に取付けた際に商品見本８０ががたつくという問題が派生し、前記がたつきによって商品見本８０が傾いてしまい利用者の購買意欲を削ぐという課題を惹起し、さらにディスプレイ室を清掃するために中扉６（図５参照）を開放した際に商品見本８０が脱落してしまうおそれがある。この問題はディスプレイ台７（の板厚）に合わせて商品見本８０を新規に製作すれば解決することができる。しかしながら、商品見本８０を新規に製作することはコストの上昇を招いてディスプレイ台７のコストダウンが相殺されてしまうことから、商品見本８０を消尽するのが一般的であり、前記課題が依然として存在する。
また、図７に示した半割り状の商品見本８４は図６に示した中空円筒状の商品見本８０に対して半分の材料で形成できることから近年採用されるに至っているが、この半割り状の商品見本８４を載置するディスプレイ台７は従前のもの、すなわち、ディスプレイ台７の載置面に穿孔された開口部７２が円形のものを使用している。これは、半割り状の商品見本８４に合わせて新規にディスプレイ台を製作すると、新たにディスプレイ台７を開発せねばならないとともに新たな金型や製造ラインを必要とし、さらに、２種類のディスプレイ台を管理しなければならないことからコストの上昇を招くためである。一方、半割り状の商品見本８４においてはその製造過程において商品見本８４の周縁に薄いフランジやばり（以下、これらをばりと総称する）８８が発生し、ディスプレイ台７の開口部７２に装着した際に前記ばり８８が開口部７２の口縁に乗り上げて商品見本８４が浮き上がった状態となり、ディスプレイ台７にしっかりと保持されないという問題を有する。この問題は商品見本８４の周縁にはみ出したばり８８を取り除くことにより解決できるが、ばり取り作業が煩雑で、かつ、一台の自動販売機に展示される商品見本は数十にも及ぶことから手間がかかり、コストアップとなる。このため、ばり８８を有する商品見本８４がディスプレイ台７に装着されることから商品見本８４ががたつき、ディスプレイ室を清掃する際などに商品見本８４が脱落してしまうという問題を有する。
【０００８】
本発明は上記の点に鑑みなされたものであり、その目的は前記課題を解決し、ディスプレイ台に装着された商品見本のがたつきをなくすことが可能な自動販売機の商品見本展示装置を提供することにある。
【課題を解決するための手段】
【０００９】
上記目的を達成するために請求項１に係る発明は、複数の商品見本を展示してなるディスプレイ室と、このディスプレイ室内に配設され、光透過性材料からなる複数の商品見本を嵌合保持する複数の開口部を有するディスプレイ台とを備えた自動販売機の商品見本展示装置において、前記ディスプレイ台の開口部近傍に商品見本と当接若しくは商品見本の一部を逃して当該商品見本のがたつきを防止して商品見本をディスプレイ台に緊密に保持させる保持手段を備えたことを特徴とする。
また、請求項２に係る発明は、請求項１の自動販売機の商品見本展示装置において、保持手段がディスプレイ台と商品見本の対峙面のいずれか一方に設けた係合部であることを特徴とし、請求項３に係る発明は、請求項１の自動販売機の商品見本展示装置において、保持手段がディスプレイ台の開口部の口縁に連続するスリットであることを特徴とする。
【発明の効果】
【００１０】
本発明の請求項１に係る自動販売機の商品見本展示装置によれば、複数の商品見本を展示してなるディスプレイ室と、このディスプレイ室内に配設され、光透過性材料からなる複数の商品見本を嵌合保持する複数の開口部を有するディスプレイ台とを備えた自動販売機の商品見本展示装置において、前記ディスプレイ台の開口部近傍に商品見本と当接若しくは商品見本を逃して当該商品見本のがたつきを防止して商品見本をディスプレイ台に緊密に保持させる保持手段を備えたことにより、前記ディスプレイ台に装着された商品見本のがたつきを防止することができ、前記ディスプレイ台に商品見本をしっかりと固定して展示することができる。したがって、板金の板厚を薄くしてコストダウンを図ったディスプレイ台に従前の光透過材料からなる中空円筒状の商品見本を装着して展示することができ、前記中空円筒状の商品見本の展示用としてのディスプレイ台を光透過材料からなるとともに周縁にばりを有する半割り状の商品見本の展示用として共用することができるという効果を有する。
また、本発明の請求項２に係る自動販売機の商品見本展示装置によれば、保持手段をディスプレイ台と商品見本の対峙面のいずれか一方に設けた係合部とすることによって、例えばディスプレイ台に係合部を設けた場合にはディスプレイ台を製作する際に追加工を施せばよく、請求項３に係る自動販売機の商品見本展示装置によれば、保持手段をディスプレイ台の開口部の口縁に連続するスリットとすることによって、光透過材料からなる半割り状の商品見本の周縁に残るばりを前記スリットに逃がすことができ、これによりばりを有する商品見本をディスプレイ台にしっかりと固定して展示することが可能である。
【発明を実施するための最良の形態】
【００１１】
（実施の形態１）
以下、本発明の実施の形態を図１に示す実施例に基づいて説明する。図１は本発明の実施の形態である自動販売機の商品見本展示装置を示すディスプレイ台の要部平面図である。なお、図８に示す部材と同一機能を有するものには同一の符号を付している。
図１において、７で再びディスプレイ台を示し、このディスプレイ台７は従来のディスプレイ台と同様に板金により横断面コ字形で底面部が開放した構造に形成されている。この実施の形態に係るディスプレイ台７は当該ディスプレイ台を構成する板金として従来のディスプレイ台を構成する板金の板厚よりも薄い板金を用いて形成されている。そして、前記ディスプレイ台７の載置面７１に穿孔された円形の開口部７２および当該開口部７２の口縁に連続して形成された一対の切欠き７３は従来のディスプレイ台と同一であるが、前記開口部７２の近傍に形成した上方に凸（紙面に対して手前側に凸）の突部７４を設けた点が図８に示した従来のディスプレイ台と相違している。前記突部７４はディスプレイ台７の開口部７２に装着された商品見本８０（図１中に二点鎖線で示す）における本体部８１（図６参照）の下端面と対峙する位置に形成され、当該商品見本８０との相対的な移動を容易にするために縦断面が円弧状に形成されている。また、前記突部７４の高さ寸法は、ディスプレイ台７の板厚をＴ１とし、商品見本８０の嵌合部の間隙寸法（図６に示す商品見本８０における係合片８２１の上面と本体部８１の下端面との間の間隙寸法）をＴ２とすると、（Ｔ２−Ｔ１）よりも若干大きな寸法に定められている。前記突部７４はディスプレイ台７を製造する工程、例えば展開された板金に開口部７２となる穴をプレスによって穿孔する工程において同時に形成することができる。前記突部７４が本発明の係合部に相当し、保持手段を構成するものである。なお、図では前記突部７４を開口部７２の近傍の１箇所のみに設けているが、開口部７２の近傍の複数箇所に設けてもよいものである。
【００１２】
図１に示すディスプレイ台７への商品見本８０の取付けは従来と同様であるので重複する説明は省略し、商品見本８０をディスプレイ台７に装着した際の突部７４の作用について次に説明する。商品見本８０をディスプレイ台７に取付けた際、ディスプレイ台７の突部７４は商品見本８０の本体部８１における下端面に当接する。つまり、商品見本８０の嵌合部の間隙寸法（図６に示す商品見本８０における係合片８２１の上面と本体部８１の下端面との間の間隙寸法）からディスプレイ台７の板厚寸法を差し引いた隙間を突部７４が埋めることによって商品見本８０はディスプレイ台７にしっかりと固定される。したがって、従来のディスプレイ台７に対して板厚の薄い板金を用いてコストダウンを図ったディスプレイ台７に従来の商品見本８０を装着しても当該商品見本８０のがたつきを防止することができるものである。
なお、ディスプレイ台７に形成した突部７４に代えて商品見本８０に係合部を形成することもでき、この場合には、商品見本８０における本体部８１の下端面にプラスチックからなる半球状の係合部を接着剤などにより固着若しくは一体成型する。これによって前記半球状の係合部がディスプレイ台７の載置面に当接し、商品見本８０がディスプレイ台７にしっかりと固定される。さらに、ディスプレイ台７に形成した突部７４に代えて開口部７２の口縁を塑性変形させて上下方向の段差、例えば、図１の紙面に対して手前側または後方側に凸の段差部を設け、この段差部を係合部とすることもできる。さらにまた、前記段差部を発展させて開口部７２の口縁にフランジを形成し、このフランジを係合部とすることもできる。
（実施の形態２）
次に、本発明の異なる実施の形態を図２に示す実施例に基づいて説明する。図２は本発明の異なる実施の形態である自動販売機の商品見本展示装置を示すディスプレイ台の要部平面図である。なお、図１に示す部材と同一機能を有するものには同一の符号を付してその説明を省略する。
【００１３】
図２に示す実施の形態が図１に示す実施の形態と異なる点は、図１の突部７４に変えて突部７５を設けた点である。前記突部７５はディスプレイ台７の載置面７１の背面における開口部７２の近傍であって、図６に示した商品見本８０の嵌合部８２から放射状に突出する一対の係合片８２１の回動軌跡に対応する位置に、下方に凸（紙面に対して後方側に凸）に形成されている。この突部７５の高さ寸法は、図１に示した実施の形態における突部７４の高さ寸法と同様に定められている。
図２に示すディスプレイ台７への商品見本８０の取付けは従来と同様であるので重複する説明は省略するが、商品見本８０をディスプレイ台７に取付けた際、商品見本８０の嵌合部８２から放射状に突出する一対の係合片８２１（の一方）がディスプレイ台７の突部７５の位置に相対的に移動して当該突部７５に一方の係合片８２１が乗り上げる。これにより商品見本８０の嵌合部の間隙寸法（図６に示す商品見本８０における係合片８２１の上面と本体部８１の下端面との間の間隙寸法）からディスプレイ台７の板厚寸法を差し引いた隙間を突部７５が埋めることによって商品見本８０はディスプレイ台７にしっかりと固定される。
なお、ディスプレイ台７に形成した突部７５に代えて商品見本８０における係合片８２１に係合部を形成することもでき、この場合には、商品見本８０における一方の係合片８２１の上端面にプラスチックからなる半球状の係合部を接着剤などにより固着若しくは一体成型する。これによって前記半球状の係合部がディスプレイ台７における載置面の背面に当接し、商品見本８０がディスプレイ台７にしっかりと固定される。
【００１４】
（実施の形態３）
次に、本発明の異なる実施の形態を図３に示す実施例に基づいて説明する。図３は本発明の異なる実施の形態である自動販売機の商品見本展示装置を示すディスプレイ台の要部平面図である。なお、図１に示す部材と同一機能を有するものには同一の符号を付してその説明を省略する。
図３に示す実施の形態における自動販売機の商品見本展示装置は図７に示す半割り状の商品見本８４を載置するものであり、図１に示す実施の形態と異なる点は、図１の突部７４に変えて一対のスリット７６を設けた点である。前記スリット７６はディスプレイ台７の載置面７１に形成された開口部７２の口縁に連続して形成され、前記開口部７２の中心点を通るとともに当該開口部７２を半割りする弦の線分上に放射状に延在するように形成されている。すなわち、前記スリット７６は図７に示した半割り状の商品見本８４の本体部８５から左右に突出するばり８８に対応して形成され、当該ばり８８を逃がす役目を有するものである。
図３に示すディスプレイ台７への商品見本８４の取付けは従来と同様であるので重複する説明は省略するが、商品見本８４をディスプレイ台７に取付けた際、図７に示した商品見本８４の本体部８５から左右に突出するばり８８がディスプレイ台７の一対のスリット７６に進入する。このように商品見本８０のばり８８は一対のスリット７６に進入することによりディスプレイ台７の開口部７２の口縁に当接することがない。したがって、商品見本８４はディスプレイ台７にしっかりと固定される。
【００１５】
なお、この実施の形態におけるスリット７６は商品見本８０のばり８８を逃がす役目を有するものとして説明したが、商品見本８０のばり８８を逃がすとともに前記ばり８８を挟み付けるように形成、すなわち、スリット７６の幅をばり８８の厚さと略同一に形成することによって商品見本８０をより一層確実に保持することができる。
（実施の形態４）
次に、本発明の異なる実施の形態を図４に示す実施例に基づいて説明する。図４は本発明の異なる実施の形態である自動販売機の商品見本展示装置を示すディスプレイ台の要部平面図である。なお、図３に示す部材と同一機能を有するものには同一の符号を付してその説明を省略する。
図４に示す実施の形態における自動販売機の商品見本展示装置が図３に示すものと相違する点は、ディスプレイ台７の載置面７１に穿孔された開口部７２の近傍に上方に凸（紙面に対して手前側に凸）の突部７７を形成した点である。この突部７７はディスプレイ台７の開口部７２に装着された商品見本８４（図４中に二点鎖線で示す）における本体部８５（図７参照）の下端面と対峙する位置に形成され、当該商品見本８４との相対的な移動を容易にするために縦断面が円弧状に形成されている。また、前記突部７７の高さ寸法は、ディスプレイ台７の板厚をＴ１とし、商品見本８４の嵌合部の間隙寸法（図７に示す商品見本８４における鍔部８６１の上面と本体部８５の下端面との間の間隙寸法）をＴ２とすると、（Ｔ２−Ｔ１）よりも若干大きな寸法に定められている。前記突部７７はディスプレイ台７を製造する工程、例えば展開された板金に開口部７２となる穴をプレスによって穿孔する工程において同時に形成することができる。なお、図では前記突部７７を開口部７２の近傍の１箇所のみに設けているが、開口部７２の近傍の複数箇所に設けてもよいものである。
【００１６】
図４に示すディスプレイ台７へ商品見本８４を取付けた際、図７に示した商品見本８４の本体部８５から左右に突出するばり８８がディスプレイ台７の一対のスリット７６に進入する。このように商品見本８０のばり８８は一対のスリット７６に進入することによりディスプレイ台７の開口部７２の口縁に当接することがない。そして、ディスプレイ台７の突部７７が商品見本８４の本体部８５における下端面に当接することによって商品見本８４はディスプレイ台７にしっかりと固定される。
なお、前述した各実施の形態では商品見本の外形が円筒形状のものについて説明したが、商品見本の形状は販売する飲料容器の形状に合わせて形成されるものであり、実施の形態の形状に限定されるものではない。また、ディスプレイ台７の開口部７２近傍に商品見本８０と当接して当該商品見本８０のがたつきを防止して商品見本８０をディスプレイ台７に緊密に保持させる保持手段は実施の形態に記載したものに限定されるものではない。
前述したとおり本発明によれば、複数の商品見本８０，８４を展示してなるディスプレイ室５と、このディスプレイ室５内に配設され、光透過性材料からなる複数の商品見本８０，８４を嵌合保持する複数の開口部７２を有するディスプレイ台７とを備えた自動販売機の商品見本展示装置において、前記ディスプレイ台７の開口部７２の近傍に商品見本８０，８４と当接若しくは商品見本８４のばり８８を逃して当該商品見本８４のがたつきを防止して商品見本をディスプレイ台に緊密に保持させる保持手段（突部７４，７５，７７、スリット７６など）を備えたことにより、前記ディスプレイ台７に装着された商品見本８０，８４のがたつきを防止することができ、前記ディスプレイ台７に商品見本８０，８４をしっかりと固定して展示することができる。したがって、板金の板厚を薄くしてコストダウンを図ったディスプレイ台７に従前の光透過材料からなる中空円筒状の商品見本８０を装着して展示することができ、前記中空円筒状の商品見本８０の展示用としてのディスプレイ台７を光透過材料からなるとともに周縁にばり８８を有する半割り状の商品見本８４の展示用として共用することができるものである。
【図面の簡単な説明】
【００１７】
【図１】本発明の実施の形態１に係る自動販売機の商品見本展示装置を示すディスプレイ台の要部平面図である。
【図２】本発明の実施の形態２に係る自動販売機の商品見本展示装置を示すディスプレイ台の要部平面図である。
【図３】本発明の実施の形態３に係る自動販売機の商品見本展示装置を示すディスプレイ台の要部平面図である。
【図４】本発明の実施の形態４に係る自動販売機の商品見本展示装置を示すディスプレイ台の要部平面図である。
【図５】本発明の実施対象に係る自動販売機の全体構成を示す斜視図である。
【図６】図５の自動販売機のディスプレイ室に展示される円筒状の商品見本を示し、（ａ）はその正面図、（ｂ）はその底面図である。
【図７】図５の自動販売機のディスプレイ室に展示される半割り状の商品見本を示し、（ａ）はその正面図、（ｂ）はその底面図である。
【図８】図５のディスプレイ室に配設されたディスプレイ台の平面図である。
【符号の説明】
【００１８】
１    本体キャビネット
２    外扉
５    ディスプレイ室
７    ディスプレイ台
８、８０、８４    商品見本
７１    載置面
７２    開口部
７３    切欠き
７４、７５、７７    突部
７６    スリット
８１、８５    本体部
８２、８６    嵌合部
８３、８７    光導入部
８２１    係合片
８２２、８６２    取付部
【図１】
2009009192.tif 000003
【図２】
2009009192.tif 000004
【図３】
2009009192.tif 000005
【図４】
2009009192.tif 000006
【図５】
2009009192.tif 000007
【図６】
2009009192.tif 000008
【図７】
2009009192.tif 000009
【図８】
2009009192.tif 000010